(57)【特許請求の範囲】
【請求項１】
表札、名札、看板等の表示プレートに固定されるプレート固定部材と、建物外壁、門柱、掲示板等の構造物に固定される壁面固定部材とを着脱可能に構成することにより、構造物に対して表示プレートを交換可能とするための表示プレート装着具であって、
前記プレート固定部材及び前記壁面固定部材のうちのいずれか一方を第一部材とし、他方を第二部材としたとき、
前記第一部材に直線状に並列形成され、前記第二部材との装着状態において表示プレートの表示面に対し平行状に延びる一対の第一案内部と、
前記第二部材に直線状に並列形成され、対応する前記第一案内部と摺接して、前記第一部材と前記第二部材とが互いに近づく接近方向と互いに離れる離間方向とに相対移動する一対の第二案内部と、
前記第一部材において前記一対の第一案内部間に形成され、本体部分と一体的に形成された基部側から遊端部側へ前記離間方向に向かうにつれて該本体部分から遠ざかるように設けられ、前記第二部材との重ね合わせ方向に沿って該第二部材に押圧力を付与するための押圧部と、
前記第二部材において前記一対の第二案内部間に形成され、前記第一部材との装着状態において前記押圧部と係合して該第一部材との位置関係を保持する係合凹部とを有し、
前記第一部材と前記第二部材とが前記接近方向に相対移動するとき、摺動する前記第一案内部及び前記第二案内部の間に前記押圧部の押圧力に基づく摺動抵抗が付与され、かつ前記押圧部と前記係合凹部との係合によって前記第一部材と前記第二部材との相対移動が停止され、構造物に対して表示プレートが取り付けられる一方、
外部からの操作により前記押圧部の押圧力が緩和されるとき、前記押圧部と前記係合凹部との係合が解除されて、前記第一部材と前記第二部材との前記離間方向への相対移動が可能となり、構造物に対して表示プレートが取り外されることを特徴とする表示プレート装着具。
【請求項２】
表札、名札、看板等の表示プレートに固定されるプレート固定部材と、建物外壁、門柱、掲示板等の構造物に固定される壁面固定部材とを着脱可能に構成することにより、構造物に対して表示プレートを交換可能とするための表示プレート装着具であって、
前記プレート固定部材に直線状に並列形成され、前記壁面固定部材との装着状態において表示プレートの表示面に対し平行状に延びる一対の第一案内部と、
前記壁面固定部材に直線状に並列形成され、対応する前記第一案内部と摺接して、前記プレート固定部材と前記壁面固定部材とが互いに近づく接近方向と互いに離れる離間方向とに相対移動する一対の第二案内部と、
前記プレート固定部材において前記一対の第一案内部間に形成され、本体部分と一体的に形成された基部側から遊端部側へ前記離間方向に向かうにつれて該本体部分から遠ざかるように設けられ、前記壁面固定部材との重ね合わせ方向に沿って該壁面固定部材に押圧力を付与するための押圧部と、
前記壁面固定部材において前記一対の第二案内部間に形成され、前記プレート固定部材との装着状態において前記押圧部と係合して該プレート固定部材との位置関係を保持する係合凹部とを有し、
前記プレート固定部材と前記壁面固定部材とが前記接近方向に相対移動するとき、摺動する前記第一案内部及び前記第二案内部の間に前記押圧部の押圧力に基づく摺動抵抗が付与され、かつ前記押圧部と前記係合凹部との係合によって前記プレート固定部材と前記壁面固定部材との相対移動が停止され、構造物に対して表示プレートが取り付けられる一方、
外部からの操作により前記押圧部の押圧力が緩和されるとき、前記押圧部と前記係合凹部との係合が解除されて、前記プレート固定部材と前記壁面固定部材との前記離間方向への相対移動が可能となり、構造物に対して表示プレートが取り外されることを特徴とする表示プレート装着具。
【請求項３】
外部からの操作力が前記押圧部の押圧力に抗して作用することにより、該押圧部はその操作力を受けて基部側を支点に遊端部側が押し戻され、遊端部側において前記係合凹部との係合が解除される請求項１又は２に記載の表示プレート装着具。
【請求項４】
前記押圧部は、前記係合凹部と係合する遊端部側に外れ防止用の段差部を有する請求項１ないし３のいずれか１項に記載の表示プレート装着具。
【請求項５】
前記プレート固定部材及び前記壁面固定部材が相対移動する際に、前記接近方向及び前記離間方向は構造物の上下方向に設定され、
前記壁面固定部材であって前記係合凹部の下方位置に、前記第一案内部の下端部に当接可能な停止部が左右方向に形成される請求項２に記載の表示プレート装着具。
【請求項６】
前記停止部の左右方向中間部には前記押圧部を下方から見通せる形態で切欠が形成される請求項５に記載の表示プレート装着具。
【発明の詳細な説明】
【技術分野】
【０００１】
本発明は、建物外壁、門柱、掲示板等の構造物に、表札、名札、看板等の表示プレートを取り付けるための表示プレート装着具に関し、特に装着用壁面に表札を取り付けるための表札装着具として好適に実施される。
【背景技術】
【０００２】
従来より、例えば建物、門柱等の構造物の壁面に取り付けられる表札を、転居、家族構成の変動等に応じて取り換え可能とすることにより利便性が図られている。特許文献１では、表示窓の後方に表示窓よりも上下幅の大きい収容部が設けられ、表札を傾けながら表示窓を通過させて収容部へ出し入れする。また、特許文献２では、支持プレートがスペーサ部材を介して表札に固定され、スペーサ部材を収容し載置する開口窓の後方には開口窓及び支持プレートよりも上下幅の大きい配設凹部が設けられ、支持プレートを（表札及びスペーサ部材とともに）傾けながら開口窓を通過させて配設凹部へ出し入れする。一方、特許文献３では、ベース板の左右方向にレール状の凹部が延設され、表札の裏面にはレール状の突状部が形成され、凹部と突状部を嵌合したり嵌合解除したりすることにより表札を着脱する。
【０００３】
これらに記載された技術によれば、表示窓や開口窓を通過できるように表札や支持プレートを傾ける（特許文献１，２）、あるいは表札の押し上げにより凹部と突状部の嵌合を解除する（特許文献３）といった単独の操作によって表札を取り外せる。したがって、専門の施工業者等に頼らなくても入居者自身で表札の取り換え（取り付け及び取り外し）作業を行うことが可能となる。ところが、このような単独の操作で簡単に表札を取り外せると、たとえ着脱機構部が表札の後方に隠されていても、表札に触れるだけで第三者が容易に外し方を見出せるようになり、盗難やいたずらの標的になるおそれがある。
【先行技術文献】
【特許文献】
【０００４】
【特許文献１】特開平１０−２１４０３０号公報
【特許文献２】特開２００６−１６２８４５号公報
【特許文献３】特開２００９−００９０６３号公報
【発明の概要】
【発明が解決しようとする課題】
【０００５】
本発明の課題は、当事者にとっては表札、名札、看板等の表示プレートの取り外しが容易であっても、第三者にとっては取り外しに困難を伴うような表示プレート装着具を提供することにある。
【課題を解決するための手段及び発明の効果】
【０００６】
上記課題を解決するために、本発明の表示プレート装着具は、
表札、名札、看板等の表示プレートに固定されるプレート固定部材（例えば表札金具）と、建物外壁、門柱、掲示板等の構造物に固定される壁面固定部材（例えば壁面金具）とを着脱可能に構成することにより、構造物に対して表示プレートを交換可能とするための表示プレート装着具（例えば表札装着具）であって、
前記プレート固定部材及び前記壁面固定部材のうちのいずれか一方を第一部材とし、他方を第二部材としたとき、
前記第一部材に直線状に並列形成され、前記第二部材との装着状態において表示プレートの表示面に対し平行状に延びる一対の第一案内部と、
前記第二部材に直線状に並列形成され、対応する前記第一案内部と摺接して、前記第一部材と前記第二部材とが互いに近づく接近方向と互いに離れる離間方向とに相対移動する一対の第二案内部と、
前記第一部材において前記一対の第一案内部間に形成され、本体部分と一体的に形成された基部側から遊端部側へ前記離間方向に向かうにつれて該本体部分から遠ざかるように設けられ、前記第二部材との重ね合わせ方向に沿って該第二部材に押圧力を付与するための押圧部と、
前記第二部材において前記一対の第二案内部間に形成され、前記第一部材との装着状態において前記押圧部と係合して該第一部材との位置関係を保持する係合凹部とを有し、
前記第一部材と前記第二部材とが前記接近方向に相対移動するとき、摺動する前記第一案内部及び前記第二案内部の間に前記押圧部の押圧力に基づく摺動抵抗が付与され、かつ前記押圧部と前記係合凹部との係合によって前記第一部材と前記第二部材との相対移動が停止され、構造物に対して表示プレートが取り付けられる一方、
外部からの操作により前記押圧部の押圧力が緩和されるとき、前記押圧部と前記係合凹部との係合が解除されて、前記第一部材と前記第二部材との前記離間方向への相対移動が可能となり、構造物に対して表示プレートが取り外されることを特徴とする。
【０００７】
具体的には、上記課題を解決するために、本発明の表示プレート装着具は、
表札、名札、看板等の表示プレートに固定されるプレート固定部材（例えば表札金具）と、建物外壁、門柱、掲示板等の構造物に固定される壁面固定部材（例えば壁面金具）とを着脱可能に構成することにより、構造物に対して表示プレートを交換可能とするための表示プレート装着具（例えば表札装着具）であって、
前記プレート固定部材に直線状に並列形成され、前記壁面固定部材との装着状態において表示プレートの表示面に対し平行状に延びる一対の第一案内部（例えば表札側ガイドレール）と、
前記壁面固定部材に直線状に並列形成され、対応する前記第一案内部と摺接して、前記プレート固定部材と前記壁面固定部材とが互いに近づく接近方向と互いに離れる離間方向とに相対移動する一対の第二案内部（例えば壁面側ガイドレール）と、
前記プレート固定部材において前記一対の第一案内部間に形成され、本体部分と一体的に形成された基部側から遊端部側へ前記離間方向に向かうにつれて該本体部分から遠ざかるように設けられ、前記壁面固定部材との重ね合わせ方向（すなわち表示面の垂直方向）に沿って該壁面固定部材に押圧力（例えば弾性力）を付与するための押圧部（例えば板ばね）と、
前記壁面固定部材において前記一対の第二案内部間に形成され、前記プレート固定部材との装着状態において前記押圧部（の遊端部）と係合して該プレート固定部材との位置関係を保持する係合凹部（例えばロック孔）とを有し、
前記プレート固定部材と前記壁面固定部材とが前記接近方向に相対移動するとき、摺動する前記第一案内部及び前記第二案内部の間に前記押圧部の押圧力に基づく摺動抵抗が付与され、かつ前記押圧部と前記係合凹部との係合によって前記プレート固定部材と前記壁面固定部材との相対移動が停止され、構造物に対して表示プレートが取り付けられる一方、
外部からの操作により前記押圧部の押圧力が緩和されるとき、前記押圧部と前記係合凹部との係合が解除されて、前記プレート固定部材と前記壁面固定部材との前記離間方向への相対移動が可能となり、構造物に対して表示プレートが取り外されることを特徴とする。
【０００８】
これらの表示プレート装着具によれば、構造物に対して表示プレートを取り外す際には、まず押圧部の押圧力（例えば板ばねの弾性力）を緩和し（すなわち弱め）て押圧部と係合凹部との係合を解除するための第一の操作を行い、その次に第一案内部と第二案内部（すなわちプレート固定部材と壁面固定部材）を離間方向に相対移動するための第二の操作を段階的に行う必要がある。ただし、個々の操作には困難を伴わないので、施工業者、所有者、管理者等の当事者であれば、このような二段階の取り外し操作をこの順序通りに行うことは容易である。また、必要に応じて第一の操作を行うための専用工具等を用いることによって、１又は複数の表示プレートを効率的に取り外すことも可能である。一方、このような比較的単純な操作であっても段階的に組み合わせることによって、当事者以外の第三者にとっては操作に困難を伴いかつ外し方を容易に見出すことはできなくなるから、表示プレートは盗難やいたずらから保護される。
【０００９】
なお、構造物に対して表示プレートを取り付ける際には、押圧部の押圧力に基づいて第一案内部と第二案内部とが摺動しかつ相対移動を停止するので、表示プレートは所定の取付位置に保持され、自重や外部操作力によって落下する事態が回避される。
【００１０】
上記表示プレート装着具において、（例えば、所定の工具がプレート固定部材と壁面固定部材との間に挿入されるとき、）外部からの操作力が押圧部の押圧力に抗して作用することにより、押圧部はその操作力を受けて基部側を支点に遊端部側が押し戻され、遊端部側において係合凹部との係合が解除される。
【００１１】
このように、外部からの操作力に基づいて押圧部の押圧力が緩和され、それによって押圧部と係合凹部とがロック解除されるから、第三者による取り外し操作はますます困難となり、盗難やいたずらに対する安全性が高くなる。
【００１２】
上記押圧部は、係合凹部と係合する遊端部側に外れ防止用の段差部（例えば、三角状の折曲片による高低差）を有する。
【００１３】
このような段差部を設けることによって、所定の操作が行われない限り押圧部と係合凹部とのロック解除は極めて困難になる。したがって、例えば地震等の自然災害時においても、震動・衝撃等による表示プレートの脱落を防止でき、被災場所や被災家屋の特定に役立つ。
【００１４】
上記プレート固定部材及び壁面固定部材が相対移動する際に、接近方向及び離間方向は構造物の上下方向に設定され、
壁面固定部材であって係合凹部の下方位置に、第一案内部の下端部に当接可能な停止部（すなわちストッパ）が左右方向に形成される。
【００１５】
このような停止部を設けることにより、表示プレートの取付状態においてプレート固定部材が壁面固定部材から落下する危険性を回避できる。特に、外部からの操作力に基づいて押圧部と係合凹部とがロック解除されたとき、プレート固定部材の落下を防止できる。
【００１６】
上記停止部の左右方向中間部には押圧部を下方から見通せる形態で切欠が形成される。
【００１７】
このような切欠を設けることにより、所定の工具等を挿入して押圧部と係合凹部との係合を解除する際に切欠が工具等の挿入ガイドとなって、表示プレートの取り外し操作が効率よく行える。
【図面の簡単な説明】
【００１８】
【図１】本発明に係る表示プレート装着具として表札装着具の一例を示し、表札金具が表札に固定された状態を表わす斜視図。
【図２】図１の表札金具と対をなす壁面金具が壁部に固定された状態を表わす斜視図。
【図３】表札金具と壁面金具との装着前の状態を表わす中央断面図。
【図４】図３に続いて表札金具と壁面金具との装着後の状態を表わす中央断面図。
【図５】表札金具の変形例を示す斜視図。
【図６】壁面金具の変形例を示す斜視図。
【図７】本発明に係る表示プレート装着具として表札装着具の他の例を示し、表札金具と壁面金具との装着前の状態を表わす中央断面図。
【図８】図７に続いて表札金具と壁面金具との装着後の状態を表わす中央断面図。
【発明を実施するための形態】
【００１９】
（実施例１）
以下、図面を参照しながら発明の実施の形態について説明する。図１〜図４は本発明に係る表示プレート装着具の一類型である表札装着具の一例を示している。図３及び図４に示すように、表札装着具１００（表示プレート装着具）は、表札１（表示プレート）に固定される表札金具１０（プレート固定部材；第一部材）と、建物、門柱等の壁部２（構造物）に固定される壁面金具２０（壁面固定部材；第二部材）とを含んで構成される。表札金具１０と壁面金具２０とは着脱可能に組み付けられるので、転居、家族構成の変動等に応じ、壁部２に対して表札１を交換可能である。
【００２０】
図１は表札金具が表札に固定された状態を表わす。図１に示す表札金具１０は外形が矩形状（この実施例ではほぼ正方形）に形成され、スチール、アルミニウム、ガラス、プラスチック、木材等によって所定形状（この実施例ではほぼ正方形）に形成された表札１の裏面１ｂの中央付近に固定される。表札金具１０は接着、溶着（溶接）、締結部材（ねじ、リベット）等種々の固定手段によって表札１に固定されるが、この実施例では複数（例えば２個）の表札固定孔１０ａと固定ねじ１０ｂによって位置固定される。
【００２１】
表札金具１０の左右両端部には、一対の表札側ガイドレール１１，１１（第一案内部）が直線状に並列形成される。表札側ガイドレール１１，１１は、壁面金具２０との装着状態において表札１の表示面１ａと平行状にかつ壁部２の上下方向に沿って延びている（図４参照）。さらに、表札金具１０には、一対の表札側ガイドレール１１，１１の間に位置して、壁面金具２０との重ね合わせ方向（すなわち表示面１ａに垂直な方向であり、図４では左右方向）に沿って壁面金具２０に弾性力（押圧力）を付与する板ばね１２（押圧部）が形成されている。具体的には、この板ばね１２は矩形状（この実施例では縦長の長方形）を呈し、表札金具１０の本体部分と一体的に形成された基部１２ａ側から遊端部１２ｂ側へ離間方向（すなわち壁面金具２０から遠ざかる向きであり、図３では上方）に向かうにつれて本体部分から遠ざかるように設けられている。
【００２２】
図２は壁面金具が壁部に固定された状態を表わす。図２に示す壁面金具２０は外形が矩形状（この実施例では横長の長方形）に形成され、壁部２の表面２ａの所定位置に固定される。壁面金具２０には、上下方向又は左右方向に長孔形状の壁面固定孔２０ａが複数（この実施例では計３個）形成され、これらの壁面固定孔２０ａと固定ねじ２０ｂとによって、壁面金具２０は壁部２に対して上下方向又は左右方向に位置調整可能に固定される。
【００２３】
壁面金具２０の左右両側には、一対の壁面側ガイドレール２１，２１（第二案内部）が直線状に並列形成される。壁面側ガイドレール２１，２１は、表札金具１０との装着状態において表札１の表示面１ａと平行状にかつ壁部２の上下方向に沿って延びている（図４参照）。また、表札金具１０との着脱関係において、壁面側ガイドレール２１，２１は対応する表札側ガイドレール１１，１１と摺接し、表札金具１０と壁面金具２０とが互いに近づく接近方向と互いに離れる離間方向とに相対移動する（図３，図４参照）。さらに、壁面金具２０には、一対の壁面側ガイドレール２１，２１の間に位置して、表札金具１０の板ばね１２（図１参照）と係合可能なロック孔２２（係合凹部）が形成されている。具体的には、このロック孔２２は矩形状（この実施例では横長の長方形）を呈し、表札金具１０との装着状態において板ばね１２の遊端部１２ｂと係合（嵌合）して表札金具１０との位置関係を保持する（図４参照）。
【００２４】
図４は表札金具１０と壁面金具２０との装着状態を表わしている。表札金具１０の板ばね１２において、ロック孔２２と係合する遊端部１２ｂの左右両端には三角状の折曲片１３，１３が形成されている（図１参照）。この折曲片１３，１３は、折り曲げによってできる高低差が壁面金具２０の厚み（すなわちロック孔２２の壁面高さ）よりも大きくなるように加工され、外れ防止用の段差部となる。折曲片１３，１３による段差部の形成により、表札金具１０と壁面金具２０とが装着された状態では、板ばね１２とロック孔２２とのロック解除は極めて困難であるから、盗難やいたずらの防止はもちろん、自然災害時における表札１の脱落防止にも役立つ。
【００２５】
壁部２から表札１を取り外すときには、表札金具１０と壁面金具２０との間に板状又は棒状の工具３０を下方から挿入する。工具３０を挿入する力（外部からの操作力）が板ばね１２の押圧力（ばね力）に抗して作用すると、板ばね１２は工具３０の挿入力を受けて基部１２ａ側を支点に遊端部１２ｂ側が押し戻され、遊端部１２ｂ側においてロック孔２２との係合が解除される。
【００２６】
このように、工具３０の挿入に基づいて板ばね１２のばね力が緩和され、それによって板ばね１２とロック孔２２とがロック解除されるから、第三者による取り外し操作は困難であり、盗難やいたずらに対する安全性が高くなる。なお、専用の工具３０を準備するほか、定規、ドライバー（先端部）等によって代用することも可能である。
【００２７】
壁面金具２０において、ロック孔２２の下方位置には、表札側ガイドレール１１，１１の下端部１１ａ，１１ａに当接可能なストッパ２３（停止部）が前方に突出しかつ左右方向に延出する（図２参照）。このようなストッパ２３を設けることにより、工具３０の挿入に基づいて板ばね１２とロック孔２２とがロック解除されたとき、表札金具１０（及び表札１）の落下を防止できる。
【００２８】
ストッパ２３の左右方向中間部には板ばね１２を下方から見通せる形態で切欠２４が形成されている（図２参照）。このような切欠２４を設けることにより、工具３０を挿入して板ばね１２とロック孔２２とのロックを解除する際に切欠２４を工具３０の挿入ガイドとして利用でき、表札１の取り外し操作が効率よく行える。
【００２９】
次に、表札金具１０と壁面金具２０との装着前の状態を表わす図３と装着後の状態を表わす図４とを参照し、表札装着具１００を用いて表札１を取り換える手順を説明する。
【００３０】
＜表札１の取り付け＞（図３→図４）
表札金具１０を壁面金具２０との接近方向（この実施例では下方）に移動すると、表札側ガイドレール１１，１１と壁面側ガイドレール２１，２１とが摺動する際に、板ばね１２が壁面金具２０を押すばね力に基づき摺動抵抗（ここでは落下を停めるブレーキ力となる）が付与されて移動速度が遅くなる。板ばね１２の遊端部１２ｂがロック孔２２に係合し（すなわち嵌り込んでロックされ）、表札側ガイドレール１１，１１の下端部１１ａ，１１ａがストッパ２３に当接すると、表札金具１０の移動が停止し、表札１が壁部２に取り付けられる。
【００３１】
＜表札１の取り外し＞（図４→図３）
切欠２４を挿入ガイドとして工具３０を下方から表札金具１０と壁面金具２０との間に挿入すると、工具３０の挿入力は板ばね１２のばね力を押し返す（つまり弱める）ように作用し、板ばね１２は基部１２ａ側を支点に遊端部１２ｂ側が押し戻され、遊端部１２ｂ側でのロック孔２２との係合が解除される。表札金具１０を壁面金具２０との離間方向（この実施例では上方）に移動すると、表札１が壁部２から取り外される。なお、表札金具１０が離間方向への移動を開始して板ばね１２の遊端部１２ｂとロック孔２２との再係合のおそれがなくなれば、その後は工具３０を使用しなくても表札１を取り外すことができる。
【００３２】
＜新たな表札１の取り付け＞（図３→図４）
取り外した古い表札を新たな表札１に交換し、その表札金具１０を壁面金具２０との接近方向に移動する。最初の取り付けと同様に、板ばね１２の遊端部１２ｂがロック孔２２に係合し、表札側ガイドレール１１，１１の下端部１１ａ，１１ａがストッパ２３に当接すると、表札金具１０の移動が停止し、新たな表札１が壁部２に取り付けられる。
【００３３】
このように、表札１を取り外す際には、工具３０の挿入により板ばね１２のばね力を押し返し、板ばね１２とロック孔２２との係合を解除する第一の操作と、表札金具１０を壁面金具２０との離間方向に移動する第二の操作とを段階的に行う必要がある。しかし、施工業者、所有者（すなわち入居者）、管理者等の当事者にとっては、個々の操作は容易であり、またこのような二段階の取り外し操作をこの順序通りに行うことに格別の困難もない。一方、このような比較的単純な操作であっても段階的に組み合わせることによって外し方を外部に知られにくくなるから、当事者以外の第三者にとっては操作が非常に煩雑になり、表札１を盗難やいたずらから保護できる。
【００３４】
（変形例）
図５は図１に代わる表札金具の変形例を示し、図６は図２に代わる壁面金具の変形例を示す。図５に示す表札金具１０では、板ばね１２の遊端部１２ｂにおいて表札１とは反対方向に向かって膨出する円形状の膨出部１２ｃが形成されている。一方、図６に示す壁面金具２０では、一対の壁面側ガイドレール２１，２１の間に位置して、板ばね１２の膨出部１２ｃ（図５参照）と係合可能な円形状のロック孔２２（係合凹部）が形成されている。したがって、図５に示す表札金具１０が図６に示す壁面金具２０に装着されるとき、膨出部１２ｃがロック孔２２に係合（嵌入）して互いの位置関係が保持される。このように簡便な位置保持構造を採用してもよい。
【００３５】
（実施例２）
図７，図８は本発明に係る表示プレート装着具の一類型である表札装着具の他の例を示す。図７は表札金具と壁面金具との装着前の状態を表わし、図８は表札金具と壁面金具との装着後の状態を表わしている。図７及び図８に示すように、表札装着具２００（表示プレート装着具）は、建物、門柱等の壁部２（構造物）に固定される壁面金具１１０（壁面固定部材；第一部材）と、表札１（表示プレート）に固定される表札金具１２０（プレート固定部材；第二部材）とを含んで構成される。表札金具１２０と壁面金具１１０とは着脱可能に組み付けられるので、転居、家族構成の変動等に応じ、壁部２に対して表札１を交換可能である。
【００３６】
壁面金具１１０には、複数（この実施例では計３個）の長孔形状の壁面固定孔１１０ａが形成されている（ただし、左右方向に長孔形状の壁面固定孔１１０ａが１個のみ図示され、上下方向の２個は図示を省略されている）。これらの壁面固定孔１１０ａと固定ねじ１１０ｂとによって、壁面金具１１０は壁部２に対して上下方向又は左右方向に位置調整可能に固定される。
【００３７】
壁面金具１１０の左右両端部には、一対の壁面側ガイドレール１１１，１１１（第一案内部）が直線状に並列形成される。壁面側ガイドレール１１１，１１１は、表札金具１２０との装着状態において表札１の表示面１ａと平行状にかつ壁部２の上下方向に沿って延びている。さらに、壁面金具１１０には、一対の壁面側ガイドレール１１１，１１１の間に位置して、表札金具１２０との重ね合わせ方向（すなわち表示面１ａに垂直な方向であり、図８では左右方向）に沿って表札金具１２０に弾性力（押圧力）を付与する板ばね１１２（押圧部）が形成されている。具体的には、この板ばね１１２は、壁面金具１１０の本体部分と一体的に形成された基部１１２ａ側から遊端部１１２ｂ側へ離間方向（すなわち表札金具１２０から遠ざかる向きであり、図７では下方）に向かうにつれて本体部分から遠ざかるように設けられている。
【００３８】
表札金具１２０は接着、溶着（溶接）、締結部材（ねじ、リベット）等種々の固定手段によって表札１に固定されるが、この実施例では固定手段の図示を省略している。
【００３９】
表札金具１２０の左右両側には、一対の表札側ガイドレール１２１，１２１（第二案内部）が直線状に並列形成される。表札側ガイドレール１２１，１２１は、壁面金具１１０との装着状態において表札１の表示面１ａと平行状にかつ壁部２の上下方向に沿って延びている。また、壁面金具１１０との着脱関係において、表札側ガイドレール１２１，１２１は対応する壁面側ガイドレール１１１，１１１と摺接し、表札金具１２０と壁面金具１１０とが互いに近づく接近方向と互いに離れる離間方向とに相対移動する。さらに、表札金具１２０には、一対の表札側ガイドレール１２１，１２１の間に位置して、壁面金具１１０の板ばね１１２と係合可能なロック孔１２２（係合凹部）が形成されている。具体的には、このロック孔１２２は、壁面金具１１０との装着状態において板ばね１１２の遊端部１１２ｂと係合（嵌合）して壁面金具１１０との位置関係を保持する。
【００４０】
壁面金具１１０の板ばね１１２において、ロック孔１２２と係合する遊端部１１２ｂの左右両端には三角状の折曲片１１３，１１３が形成されている。この折曲片１１３，１１３は、折り曲げによってできる高低差が表札金具１２０の厚み（すなわちロック孔１２２の壁面高さ）よりも大きくなるように加工され、外れ防止用の段差部となる。
【００４１】
表札金具１２０において、ロック孔１２２の下方位置には、壁面側ガイドレール１１１，１１１の上端部１１１ａ，１１１ａに当接可能なストッパ１２３（停止部）が前方に突出しかつ左右方向に延出する。ストッパ１２３の左右方向中間部には板ばね１１２を上方から見通せる形態で切欠１２４が形成されている。壁部２から表札１を取り外すときには、切欠１２４を挿入ガイドとして表札金具１２０と壁面金具１１０との間に板状又は棒状の工具３０を上方から挿入する。
【００４２】
次に、表札金具１２０と壁面金具１１０との装着前の状態を表わす図７と装着後の状態を表わす図８とを参照し、表札装着具２００を用いて表札１を取り換える手順を説明する。
【００４３】
＜表札１の取り付け＞（図７→図８）
表札金具１２０を壁面金具１１０との接近方向（この実施例では下方）に移動すると、表札側ガイドレール１２１，１２１と壁面側ガイドレール１１１，１１１とが摺動する際に、板ばね１１２が表札金具１２０を押すばね力に基づき摺動抵抗（ここでは落下を停めるブレーキ力となる）が付与されて移動速度が遅くなる。板ばね１１２の遊端部１１２ｂがロック孔１２２に係合し（すなわち嵌り込んでロックされ）、壁面側ガイドレール１１１，１１１の上端部１１１ａ，１１１ａがストッパ１２３に当接すると、表札金具１２０の移動が停止し、表札１が壁部２に取り付けられる。
【００４４】
＜表札１の取り外し＞（図８→図７）
切欠１２４を挿入ガイドとして工具３０を上方から表札金具１２０と壁面金具１１０との間に挿入すると、工具３０の挿入力は板ばね１１２のばね力を押し返す（つまり弱める）ように作用し、板ばね１１２は基部１１２ａ側を支点に遊端部１１２ｂ側が押し戻され、遊端部１１２ｂ側でのロック孔１２２との係合が解除される。表札金具１２０を壁面金具１１０との離間方向（この実施例では上方）に移動すると、表札１が壁部２から取り外される。なお、表札金具１２０が離間方向への移動を開始して板ばね１１２の遊端部１１２ｂとロック孔１２２との再係合のおそれがなくなれば、その後は工具３０を使用しなくても表札１を取り外すことができる。
【００４５】
＜新たな表札１の取り付け＞（図７→図８）
取り外した古い表札を新たな表札１に交換し、その表札金具１２０を壁面金具１１０との接近方向に移動する。最初の取り付けと同様に、板ばね１１２の遊端部１１２ｂがロック孔１２２に係合し、壁面側ガイドレール１１１，１１１の上端部１１１ａ，１１１ａがストッパ１２３に当接すると、表札金具１２０の移動が停止し、新たな表札１が壁部２に取り付けられる。
【００４６】
このように、表札装着具２００においても表札装着具１００と同様に、表札１を取り外す際には、工具３０の挿入により板ばね１１２のばね力を押し返し、板ばね１１２とロック孔１２２との係合を解除する第一の操作と、表札金具１２０を壁面金具１１０との離間方向に移動する第二の操作とが段階的に行われる。表札装着具２００における、このような二段階の取り外し操作によって、表札１を盗難やいたずらから保護できる。
【００４７】
以上の説明では、表札１を壁部（壁面）２に取り付けるための表札装着具１００，２００についてのみ記載したが、本発明はこれに限定されるものではなく、例えば名札、看板等を壁部、掲示板等に取り付けるための表示プレート装着具にも適用される。また、表札金具１０，１２０と壁面金具２０，１１０とが相対移動する方向（接近方向及び離間方向）は、上下方向に限らず左右方向や斜め方向であってもよい。
【００４８】
なお、図５，図６（変形例）及び図７，図８（実施例２）において、図１〜図４（実施例１）と共通の機能を有する部位には同一符号を付して詳細な説明を省略した。また、以上で説明した実施例及び変形例は、技術的な矛盾を生じない範囲において適宜組み合わせて実施することができる。例えば、実施例２においても変形例に示す表札金具や壁面金具を応用できる。
【符号の説明】
【００４９】
１        表札（表示プレート）
１ａ      表示面
２        壁部（構造物）
１０      表札金具（プレート固定部材；第一部材）
１１      表札側ガイドレール（第一案内部）
１２      板ばね（押圧部）
１２ａ    基部
１２ｂ    遊端部
１２ｃ    膨出部
１３      折曲片（段差部）
２０      壁面金具（壁面固定部材；第二部材）
２１      壁面側ガイドレール（第二案内部）
２２      ロック孔（係合凹部）
２３      ストッパ（停止部）
２４      切欠
３０      工具
１００    表札装着具（表示プレート装着具）
１１０    壁面金具（壁面固定部材；第一部材）
１１１    壁面側ガイドレール（第一案内部）
１１２    板ばね（押圧部）
１１２ａ  基部
１１２ｂ  遊端部
１１３    折曲片（段差部）
１２０    表札金具（プレート固定部材；第二部材）
１２１    表札側ガイドレール（第二案内部）
１２２    ロック孔（係合凹部）
１２３    ストッパ（停止部）
１２４    切欠
２００    表札装着具（表示プレート装着具）
【図１】
0006486172.tif 000002
【図２】
0006486172.tif 000003
【図３】
0006486172.tif 000004
【図４】
0006486172.tif 000005
【図５】
0006486172.tif 000006
【図６】
0006486172.tif 000007
【図７】
0006486172.tif 000008
【図８】
0006486172.tif 000009